(57)【特許請求の範囲】
【請求項１】
ネットワークを介して画像の更新内容を示す画像更新情報を受信する受信部と、
前記画像更新情報と、更新前の画像を示す画像データとに基づき、画像を生成する画像生成部と、
当該画像生成部によって生成された画像を表示する表示部と、
前記画像更新情報に制御情報が含まれるかどうかを判定する判定部と、
前記画像更新情報に前記制御情報が含まれる場合に前記制御情報に基づく制御を行う制御部と、
を含み、
前記画像生成部は、前記画像更新情報に前記制御情報が含まれる場合、前記画像更新情報を用いずに前記画像データを用いて画像を生成することを特徴とする表示装置。
【請求項２】
請求項１に記載の表示装置において、
前記制御情報を含む前記画像更新情報は、前記制御情報の開始を示す文字コード化された開始情報と、制御内容を示す制御内容情報と、前記制御情報の終了を示す文字コード化された終了情報とを含み、
前記判定部は、前記開始情報および前記終了情報の少なくとも一方に基づき、前記画像更新情報に制御情報が含まれるかどうかを判定し、
前記制御部は、前記制御内容情報に基づき、前記制御を行うことを特徴とする表示装置。
【請求項３】
請求項１、２のいずれかに記載の表示装置において、
前記判定部は、前記受信部によって前記ネットワークを介して保護情報が受信された場合に保護状態に設定するとともに、前記受信部によって前記ネットワークを介して保護解除情報が受信された場合に保護解除状態に設定し、
前記制御部は、前記保護状態で前記制御情報が受信された場合は前記制御を行わず、前記保護解除状態で前記制御情報が受信された場合は前記制御を行うことを特徴とする表示装置。
【請求項４】
請求項１〜３のいずれかに記載の表示装置と、
前記ネットワークを介して前記画像更新情報を前記表示装置へ向け送信する画像供給装置と、
を含むことを特徴とする表示システム。
【請求項５】
ネットワークを介して画像の更新内容を示す画像更新情報を受信する受信部と、画像を表示する表示部とを有するコンピュータにより読み取り可能なプログラムであって、
前記コンピュータを、
前記画像更新情報と、更新前の画像を示す画像データとに基づき、画像を生成する画像生成部と、
当該画像生成部によって生成された画像を前記表示部に表示させる表示制御部と、
前記画像更新情報に制御情報が含まれるかどうかを判定する判定部と、
前記画像更新情報に前記制御情報が含まれる場合に前記制御情報に基づく制御を行う制御部として機能させ、
前記画像生成部は、前記画像更新情報に前記制御情報が含まれる場合、前記画像更新情報を用いずに前記画像データを用いて画像を生成することを特徴とするプログラム。
【請求項６】
通信機能を有する表示装置における制御方法において、
ネットワークを介して画像の更新内容を示す画像更新情報を受信し、
前記画像更新情報に制御情報が含まれるかどうかを判定し、
前記画像更新情報に前記制御情報が含まれない場合、前記画像更新情報と、更新前の画像を示す画像データとに基づき、画像を生成するとともに、前記画像更新情報に前記制御情報が含まれる場合、前記画像更新情報を用いずに前記画像データを用いて画像を生成し、
前記画像更新情報に前記制御情報が含まれる場合に前記制御情報に基づく制御を行うことを特徴とする制御方法。
【発明の詳細な説明】
【技術分野】
【０００１】
本発明は、制御情報に基づく制御を行う表示装置、表示システム、プログラムおよび制御方法に関する。
【背景技術】
【０００２】
ＰＣ(Personal Computer)からプロジェクタ等の表示装置に画像情報や制御情報を送信する場合、画像情報を、画像ケーブルを介して送信する手法や、制御情報を、シリアルケーブルを介して送信する手法に代えて、画像情報や制御情報を、一般的なネットワークケーブルを介して送信する手法が提案されている。
【０００３】
例えば、特開２００６−６０５９６号公報では、ネットワークを介して画像供給装置から送信される画像情報に基づいて画像を表示する表示装置が記載されている。また、特開２００４−１１２５２２号公報では、遠隔制御コマンドを電子透かしとしてメディアデータに埋め込み、メディアデータを送受信し、メディアデータから電子透かしを抽出して電子透かしに含まれる操作コマンドを取得し、操作コマンドに基づいて遠隔操作を実行することが記載されている。
【特許文献１】特開２００６−６０５９６号公報
【特許文献２】特開２００４−１１２５２２号公報
【発明の開示】
【発明が解決しようとする課題】
【０００４】
しかし、特開２００４−１１２５２２号公報のように、制御コマンドを画像情報に埋め込んだ場合、画質が劣化してしまうことになる。また、例えば、画像情報送信パケットと、制御情報送信パケットに分離した場合、パケットを受信する表示装置における処理が複雑になる上、リアルタイムな画像表示に影響を与えることになる。
【０００５】
本発明の目的は、画像表示に影響を与えることなく、制御情報に基づく制御を行うことが可能な表示装置、表示システム、プログラムおよび制御方法を提供することにある。
【課題を解決するための手段】
【０００６】
上記課題を解決するため、本発明に係る表示装置は、ネットワークを介して画像の更新内容を示す画像更新情報を受信する受信部と、前記画像更新情報と、更新前の画像を示す画像データとに基づき、画像を生成する画像生成部と、当該画像生成部によって生成された画像を表示する表示部と、前記画像更新情報に制御情報が含まれるかどうかを判定する判定部と、前記画像更新情報に前記制御情報が含まれる場合に前記制御情報に基づく制御を行う制御部と、を含み、前記画像生成部は、前記画像更新情報に前記制御情報が含まれる場合、前記画像更新情報を用いずに前記画像データを用いて画像を生成することを特徴とする。
【０００７】
また、本発明に係る表示システムは、上記表示装置と、前記ネットワークを介して前記画像更新情報を前記表示装置へ向け送信する画像供給装置と、を含むことを特徴とする。
【０００８】
また、本発明に係るプログラムは、ネットワークを介して画像の更新内容を示す画像更新情報を受信する受信部と、画像を表示する表示部とを有するコンピュータにより読み取り可能なプログラムであって、前記コンピュータを、前記画像更新情報と、更新前の画像を示す画像データとに基づき、画像を生成する画像生成部と、当該画像生成部によって生成された画像を前記表示部に表示させる表示制御部と、前記画像更新情報に制御情報が含まれるかどうかを判定する判定部と、前記画像更新情報に前記制御情報が含まれる場合に前記制御情報に基づく制御を行う制御部として機能させ、前記画像生成部は、前記画像更新情報に前記制御情報が含まれる場合、前記画像更新情報を用いずに前記画像データを用いて画像を生成することを特徴とする。
【０００９】
また、本発明に係る制御方法は、通信機能を有する表示装置における制御方法において、ネットワークを介して画像の更新内容を示す画像更新情報を受信し、前記画像更新情報に制御情報が含まれるかどうかを判定し、前記画像更新情報に前記制御情報が含まれない場合、前記画像更新情報と、更新前の画像を示す画像データとに基づき、画像を生成するとともに、前記画像更新情報に前記制御情報が含まれる場合、前記画像更新情報を用いずに前記画像データを用いて画像を生成し、前記画像更新情報に前記制御情報が含まれる場合に前記制御情報に基づく制御を行うことを特徴とする。
【００１０】
本発明によれば、表示装置等は、通常時は、画像更新情報と画像データを用いて画像を生成し、制御時は、画像データのみを用いて画像を生成することにより、画像表示に影響を与えることなく、制御情報に基づく制御を行うことができる。
【００１１】
また、前記制御情報を含む前記画像更新情報は、前記制御情報の開始を示す文字コード化された開始情報と、制御内容を示す制御内容情報と、前記制御情報の終了を示す文字コード化された終了情報とを含み、前記判定部は、前記開始情報および前記終了情報の少なくとも一方に基づき、前記画像更新情報に制御情報が含まれるかどうかを判定し、前記制御部は、前記制御内容情報に基づき、前記制御を行ってもよい。
【００１２】
これによれば、表示装置等は、制御情報の少なくとも一部が文字コード化されていることにより、画像の内容を判定するアルゴリズムと同様のアルゴリズムで制御情報の有無を判定することができるため、より効率的に判定を行うことができる。
【００１３】
また、前記判定部は、前記受信部によって前記ネットワークを介して保護情報が受信された場合に保護状態に設定するとともに、前記受信部によって前記ネットワークを介して保護解除情報が受信された場合に保護解除状態に設定し、前記制御部は、前記保護状態で前記制御情報が受信された場合は前記制御を行わず、前記保護解除状態で前記制御情報が受信された場合は前記制御を行ってもよい。
【００１４】
これによれば、表示装置等は、保護状態か保護解除状態かに応じて制御を行うかどうかを決定することにより、画像更新情報に誤って制御情報と同様の内容が混入した場合であっても誤検出を行わないで済むため、より適切に制御を行うことができる。
【発明を実施するための最良の形態】
【００１５】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例におけるＰＣ２００とプロジェクタ１００の機能ブロック図である。表示システムは、画像供給装置の一種であるＰＣ２００と、ＰＣ２００とネットワーク３００を介して接続された表示装置の一種であるプロジェクタ１００を含んで構成されている。ＰＣ２００は、ネットワーク３００を介してプロジェクタ１００へ向け画像更新情報等を送信することにより、ＰＣ２００で生成、表示可能な画像をプロジェクタ１００に投写させることもできる。なお、ネットワーク３００は、ＬＡＮ等の近距離ネットワークであってもよいし、ＷＡＮ等の遠距離ネットワークであってもよい。
【００１７】
ここで、ネットワーク３００の帯域幅は、ＰＣ２００とプロジェクタ１００を直接アナログビデオインターフェイスやデジタルビデオインターフェイスで接続した場合に比べて非常に狭い。このため、ＰＣ２００は、画像全体ではなく、画像の変化部分のみをプロジェクタ１００へ向け送信する。なお、画像の変化部分のみを用いた通信、投写手法は、特開２００６−６０５９６号公報に記載されているため、詳細な説明を省略する。
【００１８】
また、ＰＣ２００は、例えば、動画像と静止画像を切り替えたり、動画像のシーンが変わったり、画像の輝度等が大きく変化したりする場合等にプロジェクタ１００を制御して輝度調整等を行う。しかし、一般的な手法では、ＰＣ２００が画像情報をリアルタイムに送信している状態でプロジェクタ１００の制御を行うことは困難である。本実施例では、ＰＣ２００が、通常時に画像更新情報を送信し、制御時に制御情報を含む画像更新情報を送信する機能を有し、プロジェクタ１００が画像更新情報に制御情報が含まれる場合に制御を行う機能を有している。
【００１９】
具体的には、ＰＣ２００は、ユーザの操作情報を入力する操作部２１０と、操作情報等に応じて画像更新情報や制御情報等を生成する情報生成部２３０と、投写対象の画像データ２２１等を記憶する記憶部２２０と、制御情報を画像更新情報に変換する変換部２４０と、画像更新情報等をプロジェクタ１００へ向け送信する送信部２９０を含んで構成されている。
【００２０】
また、プロジェクタ１００は、画像更新情報等を受信する受信部１１０と、種々のデータを記憶する記憶部１２０と、種々の判定を行う判定部１３０と、制御情報に基づく制御を行う制御部１４０と、画像を生成する画像生成部１５０と、画像を投写する投写部（表示部）１９０を含んで構成されている。また、記憶部１２０は、更新前（例えば、ｎ−１フレーム等）の画像を示す画像データ１２１、最新の画像の変化内容（例えば、ｎ−１フレームの画像とｎフレームの画像の相違等）を示す画像更新情報１２２等を記憶する。
【００２１】
なお、これらの各部の機能を実装するためのハードウェアとしては、例えば、以下のものが採用されてもよい。例えば、受信部１１０、送信部２９０としてはＵＳＢ通信ユニット等、記憶部１２０、２２０としてはＲＡＭ等、判定部１３０、制御部１４０、情報生成部２３０、変換部２４０としてはＣＰＵ等、画像生成部１５０としては画像処理回路等、投写部１９０としてはランプ、液晶駆動回路、液晶パネル、投写レンズ等、操作部２１０としてはマウス、キーボード等が採用されてもよい。
【００２２】
また、プロジェクタ１００は、これらの各部の機能をプロジェクタ１００に実装するためのプログラムを情報記憶媒体４００から読み取ることにより、各部の機能を実装してもよい。このような情報記憶媒体４００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２３】
次に、ＰＣ２００とプロジェクタ１００における制御手順について説明する。図２は、第１の実施例におけるＰＣ２００での制御手順を示すフローチャートである。情報生成部２３０は、操作部２１０からの操作情報に基づき、一定時間（例えば、１フレーム等）ごとにユーザによる操作があったかどうかを判定する（ステップＳ１）。
【００２４】
操作があった場合、情報生成部２３０は、操作内容に応じて制御情報を生成する（ステップＳ２）。なお、制御情報は、例えば、制御情報の開始を示す開始情報と、制御内容を示す制御内容情報と、制御情報の終了を示す終了情報で構成される。例えば、操作内容が、プロジェクタ１００のカラーモード（制御コードは１）をプレゼンテーション（設定値は１）に設定し、プロジェクタ１００の明るさ（制御コードは２）を１２８に設定することを示す場合、情報生成部２３０は、制御情報として、開始情報「CMD」、制御内容情報「001001002128」、終了情報「END」で構成される「CMD001001002128END」を生成する。
【００２５】
変換部２４０は、制御情報を画像更新情報に変換する（ステップＳ３）。具体的には、例えば、変換部２４０は、「CMD001001002128END」を文字コード化した「434D4401010280454E44」に変換し、変換した情報に画像更新情報であることを示すヘッダ等を付加することにより、画像更新情報を生成する。なお、「434D44」および「454E44」は開始情報および終了情報をＡＳＣＩＩコードで示す情報であり、「01010280」は制御内容を１６進数で示す制御内容情報である。もちろん、変換部２４０は、制御内容情報もＡＳＣＩＩコードに変換してもよい。
【００２６】
一方、制御指示操作がなかった場合、情報生成部２３０は、画像データ２２１に基づき、例えば、１フレームごとに、前フレームとの画像の変化内容を示す画像更新情報を生成する（ステップＳ４）。なお、初回の画像更新情報は、画像全体を示す情報である。
【００２７】
送信部２９０は、ステップＳ３またはステップＳ４で生成された画像更新情報を、ネットワーク３００を介してプロジェクタ１００へ向け送信する（ステップＳ５）。情報生成部２３０は、画像データ２２１に基づき、投写対象の全フレームの画像情報の生成、送信が終了したかどうかを判定する（ステップＳ６）。ＰＣ２００は、終了ではない場合、ステップＳ１〜Ｓ６の処理を繰り返し実行し、終了である場合、これらの処理を終了する。
【００２８】
次に、プロジェクタ１００における制御手順について説明する。図３は、第１の実施例におけるプロジェクタ１００での制御手順を示すフローチャートである。受信部１１０は、ＰＣ２００から画像更新情報を受信し（ステップＰ１）、画像更新情報１２２として記憶部１２０に記憶する。
【００２９】
判定部１３０は、画像更新情報１２２に制御情報が含まれるかどうかを判定する（ステップＰ２）。具体的には、例えば、判定部１３０は、画像更新情報１２２に「434D44」、すなわち、制御情報の開始情報が含まれるかどうかを判定することにより、画像更新情報１２２に制御情報が含まれるかどうかを判定する。
【００３０】
画像更新情報１２２に制御情報が含まれる場合、制御部１４０は、画像更新情報１２２を元の制御情報に変換する（ステップＰ３）。具体的には、例えば、制御部１４０は、画像更新情報１２２に含まれる「434D4401010280454E44」を「CMD001001002128END」に変換する。そして、制御部１４０は、当該制御情報に基づき、制御内容に応じた制御（例えば、カラーモード、明るさ、コントラスト、色合い、シャープネス、音量等の変更、台形歪み補正等）を行う（ステップＰ４）。なお、制御部１４０は、「CMD」と「END」の間にある情報を解釈することにより、制御内容を判定することができる。
【００３１】
また、画像更新情報１２２に制御情報が含まれる場合、画像生成部１５０は、画像データ１２１に基づき、前フレームと同じ内容の画像を生成する（ステップＰ５）。なお、この場合、画像生成部１５０は、画像データ１２１が存在しない場合を除き、画像更新情報１２２を使用しない。
【００３２】
一方、画像更新情報１２２に制御情報が含まれない場合、画像生成部１５０は、画像データ１２１と、画像更新情報１２２に基づき、画像の変化内容を反映した画像を生成する（ステップＰ６）。
【００３３】
なお、この場合、画像生成部１５０は、画像の変化内容を反映した画像を示す画像データ１２１を記憶部１２０に記憶する。すなわち、画像データ１２１は、制御が行われる場合を除き、フレームごとに更新される。また、初回の場合、すなわち、画像データ１２１が存在しない場合、画像生成部１５０は、画像更新情報１２２に基づき、画像を生成する。
【００３４】
投写部１９０は、ステップＰ５またはステップＰ６で生成された画像を投写する（ステップＰ７）。判定部１３０は、例えば、画像更新情報が一定時間以上受信されないかどうかによって終了かどうかを判定する（ステップＰ８）。プロジェクタ１００は、終了ではない場合、ステップＰ１〜Ｐ８の処理を繰り返し実行し、終了である場合、これらの処理を終了する。
【００３５】
以上のように、本実施例によれば、プロジェクタ１００は、通常時は、画像更新情報１２２と画像データ１２１を用いて画像を生成し、制御時は、画像データ１２１のみを用いて画像を生成することにより、画像表示に影響を与えることなく、制御情報に基づく制御を行うことができる。すなわち、例えば、一般的なプロジェクタは、動画像の表示中に制御情報が送信されると動画像の投写を停止して制御を行わなければならず、リアルタイムな画像表示に影響が生じてしまう。これに対し、本実施例のプロジェクタ１００は、動画像の表示中に制御情報が送信された場合であっても、画像データ１２１を用いて投写を継続できるため、リアルタイムな画像表示に影響は生じない。
【００３６】
また、本実施例によれば、プロジェクタ１００は、制御情報の少なくとも一部が文字コード化されていることにより、画像の内容を判定するアルゴリズムと同様のアルゴリズムで制御情報の有無を判定することができるため、より効率的に判定を行うことができる。
【００３７】
また、本実施例によれば、ＰＣ２００は、画像更新情報に制御情報を含めることができるため、画像情報通信用の標準的なプロトコルを用いてプロジェクタ１００を制御することができる。
【００３８】
さらに、本実施例によれば、プロジェクタ１００およびＰＣ２００は、画像全体を示す画像情報ではなく、画像の更新部分のみを示す画像更新情報を送受信することにより、ネットワーク３００の通信帯域が狭い場合であっても、伝送遅延等を発生させにくく、画像の投写を連続的に行うことができる。
【００３９】
（第２の実施例）
第１の実施例の構成に加えてプロジェクタ１００に保護状態に応じて制御を行うかどうかを決定する機能を設けてもよい。次に、このような機能を有するプロジェクタ１００とＰＣ２００を用いた制御手順について説明する。
【００４０】
図４は、第２の実施例におけるＰＣ２００での制御手順を示すフローチャートである。情報生成部２３０は、操作部２１０からの操作情報に基づき、一定時間ごとにユーザによる制御指示操作があったかどうかを判定する（ステップＳ１）。
【００４１】
操作があった場合、情報生成部２３０は、当該操作内容がプロジェクタ１００の保護要求を示すものであるかどうかを判定する（ステップＳ１１）。保護要求を示すものである場合、情報生成部２３０は、保護要求を示す保護情報（例えば、「454E44454E44454E44」等）を生成し（ステップＳ１２）、送信部２９０は、当該保護情報をプロジェクタ１００へ向け送信する（ステップＳ１３）。
【００４２】
また、当該操作内容が保護要求を示すものでない場合、情報生成部２３０は、当該操作内容が保護解除要求を示すものであるかどうかを判定する（ステップＳ１４）。保護解除要求を示すものである場合、情報生成部２３０は、保護解除要求を示す保護解除情報（例えば、「434D44434D44434D44」等）を生成し（ステップＳ１５）、送信部２９０は、当該保護解除情報をプロジェクタ１００へ向け送信する（ステップＳ１６）。
【００４３】
また、当該操作内容が保護要求、保護解除要求のいずれでもない場合、ＰＣ２００は、上述したステップＳ２、Ｓ３、Ｓ５の処理を実行する。また、ＰＣ２００は、上述したステップＳ４、Ｓ６の処理も実行する。なお、これらの処理は第１の実施例と同様であるため、説明を省略する。
【００４４】
次に、プロジェクタ１００における制御手順について説明する。図５は、第２の実施例におけるプロジェクタ１００での制御手順を示すフローチャートである。受信部１１０は、ＰＣ２００から情報を受信する（ステップＰ１１）。
【００４５】
判定部１３０は、当該情報が保護要求を示す情報であるかどうかを判定する（ステップＰ１２）。保護要求を示す情報である場合、判定部１３０は、プロジェクタ１００の状態を保護に設定する（ステップＰ１３）。具体的には、例えば、判定部１３０は、状態を示す情報を内部に保持したり、記憶部１２０に記憶された状態を示す情報を更新したりする。
【００４６】
また、判定部１３０は、受信された情報が保護要求を示す情報でない場合、受信された情報が保護解除要求を示す情報であるかどうかを判定する（ステップＰ１４）。保護解除要求を示す情報である場合、判定部１３０は、プロジェクタ１００の状態を保護解除に設定する（ステップＰ１５）。
【００４７】
また、判定部１３０は、受信された情報が保護要求、保護解除要求のいずれでもない場合、当該情報を画像更新情報１２２として記憶部１２０に記憶するとともに、画像更新情報１２２に制御情報が含まれるかどうかを判定する（ステップＰ２）。
【００４８】
画像更新情報１２２に制御情報が含まれる場合、プロジェクタ１００の状態が保護解除状態かどうかを判定する（ステップＰ１６）。保護解除状態である場合、プロジェクタ１００は、上述したステップＰ３〜Ｐ５の処理を実行し、制御を行う。
【００４９】
一方、保護解除状態ではない場合（保護状態である場合）、あるいは、画像更新情報１２２に制御情報が含まれない場合、画像生成部１５０は、画像データ１２１と、画像更新情報１２２に基づき、画像の変化内容を反映した画像を生成する（ステップＰ６）。すなわち、画像更新情報１２２に制御情報が含まれる場合であっても、保護状態の場合、制御は行われない。
【００５０】
また、プロジェクタ１００は、ステップＰ５またはステップＰ６で生成された画像を投写し（ステップＰ７）、終了かどうかの判定を行う（ステップＰ８）。
【００５１】
以上のように、本実施例によれば、プロジェクタ１００は、上述した作用効果に加え、保護状態か保護解除状態かに応じて制御を行うかどうかを決定することにより、画像更新情報１２２に誤って制御情報と同様の内容が混入した場合であっても誤検出を行わないで済むため、より適切に制御を行うことができる。
【００５２】
また、本実施例によれば、ＰＣ２００は、制御情報を含む画像更新情報、保護解除情報、保護情報を個別に送信することにより、例えば、保護状態の更新権限を有するユーザのＰＣ２００のみが保護解除情報、保護情報を送信できるようにすれば、より適切にプロジェクタ１００を制御することができる。すなわち、通常時は、複数のユーザの複数のＰＣ２００によってプロジェクタ１００を制御できるようにし、保護時は、更新権限を有するユーザのＰＣ２００が保護情報をプロジェクタ１００に送信することにより、他のユーザから制御情報を含む画像更新情報が送信された場合であっても制御が行われないため、ＰＣ２００は、より適切にプロジェクタ１００を制御することができる。
【００５３】
（その他の実施例）
なお、本発明の適用は上述した実施例に限定されず、種々の変形が可能である。例えば、第２の実施例では、ＰＣ２００は、保護要求、保護解除要求、制御要求を別々に処理しているが、制御要求があった場合に、保護解除情報、制御情報を含む画像更新情報、保護情報の順序で情報を送信してもよい。これによれば、プロジェクタ１００等は、より効率的に保護状態の設定等を行うことができ、保護要求、保護解除要求、制御要求を別々に行うことによるユーザの手間を軽減できる。
【００５４】
また、変換部２４０は、制御情報を文字コード化せず、制御情報にヘッダ等を付加して画像更新情報を生成してもよい。また、判定部１３０は、制御情報の開始情報のみで制御情報の有無を判定してもよいし、制御情報の終了情報のみで制御情報の有無を判定してもよいし、制御情報の開始情報と終了情報で制御情報の有無を判定してもよい。
【００５５】
また、画像供給装置は、ＰＣ２００には限定されず、例えば、デジタルカメラ、携帯電話等のネットワーク経由での接続を行う種々の装置を採用可能である。また、表示装置は、プロジェクタ１００には限定されず、例えば、テレビ、液晶モニタ等の種々の装置を採用可能である。
【００５６】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。
【図面の簡単な説明】
【００５７】
【図１】第１の実施例におけるＰＣとプロジェクタの機能ブロック図である。
【図２】第１の実施例におけるＰＣでの制御手順を示すフローチャートである。
【図３】第１の実施例におけるプロジェクタでの制御手順を示すフローチャートである。
【図４】第２の実施例におけるＰＣでの制御手順を示すフローチャートである。
【図５】第２の実施例におけるプロジェクタでの制御手順を示すフローチャートである。
【符号の説明】
【００５８】
１００  プロジェクタ（表示装置）、１１０  受信部、１２０、２２０  記憶部、１２１、２２１  画像データ、１２２  画像更新情報、１３０  判定部、１４０  制御部、１５０  画像生成部、１９０  投写部（表示部）、２００  ＰＣ（画像供給装置）、２１０  操作部、２３０  情報生成部、２４０  変換部、２５０  送信部、３００  ネットワーク、４００  情報記憶媒体
【図１】
0005120544.tif 000002
【図２】
0005120544.tif 000003
【図３】
0005120544.tif 000004
【図４】
0005120544.tif 000005
【図５】
0005120544.tif 000006